(57)【要約】【課題】  発光管の上下の向きに関係なく最冷点の温度を低減でき、通常点灯時安定した出力が得られる電球形蛍光ランプを提供することを目的とする。【解決手段】  この発明に係る電球形蛍光ランプ１は、発光管２と、この発光管２を点灯させるための安定器３と、発光管２を一方の側に保持し、他方の側に安定器３が取り付けられるプレート８と、安定器３を収納し且つ口金５を有するハウジング４と、発光管２を覆う外管グローブ６とを有し、水銀を封入する電球形蛍光ランプ１において、発光管２の口金５と反対側の先端７ａに形成され、口金５を上にした取付状態で発光管２を点灯したとき最冷点となる凸部２ａと、発光管２の内部を排気するために設けられ、発光管２からプレート８を貫通してハウジング４内まで延び、口金５を下にした取付状態で発光管２を点灯したとき先端７ａが最冷点となる排気管７とを備えたことを特徴とする。【選択図】        図３
2006302589.tif 000002
【特許請求の範囲】
【請求項１】
発光管と、この発光管を点灯させるための安定器と、前記発光管を一方の側に保持し、他方の側に前記安定器が取り付けられるプレートと、前記安定器を収納し且つ口金を有するハウジングと、前記発光管を覆う外管グローブとを有し、水銀を封入する電球形蛍光ランプにおいて、
前記発光管の前記口金と反対側の先端に形成され、前記口金を上にした取付状態で前記発光管を点灯したとき最冷点となる凸部と、
前記発光管の内部を排気するために設けられ、前記発光管から前記プレートを貫通して前記ハウジング内まで延び、前記口金を下にした取付状態で前記発光管を点灯したとき先端が最冷点となる排気管とを備えたことを特徴とする電球形蛍光ランプ。
【発明の詳細な説明】
【技術分野】
【０００１】
この発明は、アマルガムの代わりに水銀を封入して光束立ち上り特性を改善すると共に、最冷点となる箇所を口金が上になるときはランプ先端に、口金が下になるときは口金付近まで延ばした封入管の先端に形成し、口金が上になるベースアップ時と、口金が下になるベースダウン時とのいずれにおいても安定した光出力が得られる電球形蛍光ランプに関するものである。
【背景技術】
【０００２】
白熱電球に代わる光源として、ランプ効率が高く、且つ長寿命な電球形蛍光ランプが提案され、そのような電球形蛍光ランプとして、２重螺旋形状の発光管を備えたものがある。図７はそのような従来の電球形蛍光ランプの断面を示す正面図である。図に示すように、電球形蛍光ランプ１は、２重螺旋形状の発光管２と、この発光管２を点灯させるための安定器３と、安定器３を収納し且つ口金５を有するハウジング４と、発光管２を覆う外管グローブ６とを備えている。発光管２内部には、緩衝ガスとしての混合ガスの他に、光束立ち上り特性を改善するために水銀単体が封入されている（アマルガムを使用しない）。
【０００３】
発光管２は、ガラス管の端部がプレート８に挿入されて、例えばシリコン等の接着剤によりプレート８に固着されている。
【０００４】
発光管２の下端部には、下方（口金５と反対方向）へと膨出する凸部２ａが形成されており、この凸部２ａと外管グローブ６の内壁の下端部とが、透明なシリコンからなる熱伝導性媒体１５により熱的に結合されている。
【０００５】
凸部２ａを設ける理由は、凸部２ａを形成することで、凸部２ａ内の空間が電極間を流れる電子の軌道から離れ、凸部２ａ内の温度（最冷点温度）がさらに下がるからである。
【０００６】
また、発光管２と外管グローブ６とを熱伝導性媒体１５により熱的に結合しているのは、電球形蛍光ランプ１が点灯して発光管２の温度が上昇したときに、その熱が熱伝導性媒体１５を介して外管グローブ６へと伝わり、発光管２の温度、特に発光管２の下端部にできる最冷点箇所の温度の上昇を抑制することができるからである。このようにして、発光管２をその電極を上にした状態で通常点灯させた時、発光管頂部に設けた凸部最冷点と熱伝導性媒体１５により、発光管最冷点温度を低減できるものである（例えば、特許文献１参照）。
【特許文献１】特開２００４−８７３９７号公報
【発明の開示】
【発明が解決しようとする課題】
【０００７】
従来の電球形蛍光ランプは、発光管最冷点が発光管頂部に形成されるため、発光管を口金を上にした取付状態では、最冷点温度が低く安定した出力が得られるが、その反対の発光管を口金を下にした取付状態では、最冷点温度が上がり安定した出力が得られないという課題があった。
【０００８】
この発明は、上記のような課題を解決するためになされたもので、発光管の上下の向きに関係なく最冷点の温度を低減でき、通常点灯時安定した出力が得られる電球形蛍光ランプを提供することを目的とする。
【課題を解決するための手段】
【０００９】
この発明に係る電球形蛍光ランプは、発光管と、この発光管を点灯させるための安定器と、前記発光管を一方の側に保持し、他方の側に安定器が取り付けられるプレートと、安定器を収納し且つ口金を有するハウジングと、発光管を覆う外管グローブとを有し、水銀を封入する電球形蛍光ランプにおいて、発光管の口金と反対側の先端に形成され、口金を上にした取付状態で発光管を点灯したとき最冷点となる凸部と、発光管の内部を排気するために設けられ、発光管からプレートを貫通してハウジング内まで延び、口金を下にした取付状態で発光管を点灯したとき先端が最冷点となる排気管とを備えたことを特徴とする。
【発明の効果】
【００１０】
この発明に係る電球形蛍光ランプは、上記構成により、発光管の上下の向きに関係なく最冷点の温度を低減でき、通常点灯時安定した出力が得られる。
【発明を実施するための最良の形態】
【００１１】
実施の形態１．
図１〜５は実施の形態１を示す図で、図１は電球形蛍光ランプ１の正面図、図２は電球形蛍光ランプ１の平面図、図３は電球形蛍光ランプ１の断面を示す正面図、図４は電球形蛍光ランプ１の内部構成を示す正面図、図５は電球形蛍光ランプ１の内部構成を示す平面図である。
図において、電球形蛍光ランプ１は、２重スパイラル形状の発光管２と、この発光管２を点灯させるための安定器３（点灯回路）と、安定器３を収納し且つ口金５を有するハウジング４と、発光管２を覆う外管グローブ６とを備えている。
【００１２】
発光管２の端部は、図３に示すように、プレート８に挿入されて、例えばシリコン等の接着剤によりプレート８に固着されている。プレート８の発光管２と反対側には、種々の電子部品からなる安定器３が取り付けられている。
【００１３】
発光管２の口金５の反対側先端には、ガラス管を膨出させた凸部２ａが形成されている。凸部２ａは、外管グローブ６の下端部６ａと接触して熱的に結合している。凸部２ａを設ける理由は、凸部２ａを形成することで、凸部２ａ内の空間が電極間を流れる電子の軌道から離れ、凸部２ａ内の温度（最冷点温度）がさらに下がるからである。
【００１４】
発光管２の一方の端部から、発光管２内部の排気を行うための排気管７が、プレート８を貫通してハウジング４内の安定器３を収納した空間の上部まで延出している。発光時、温度の高い発光管２から排気管７の先端７ａを離すことが狙いである。
【００１５】
次に、動作を説明する。
先ず、電球形蛍光ランプ１が、口金５が上になる状態で取り付けられる場合について説明する。このとき、電球形蛍光ランプ１が点灯して発光管２の温度が上昇すると、その熱が凸部２ａから直接外管グローブ６へと伝わり、発光管２の温度、特に発光管２の下端部の凸部２ａにできる最冷点箇所の温度の上昇を抑制する。従って、発光管２は安定した出力が得られる。
【００１６】
次に、電球形蛍光ランプ１が、口金５が下になる状態で取り付けられる場合について説明する。このときは、排気管７の先端７ａが発光管２から離れており、温度の低い安定器３付近まで延びているので、電球形蛍光ランプ１が点灯して発光管２の温度が上昇しても、排気管７の先端７ａは発光管２の他の箇所より温度が低く、そこに最冷点が形成される。そして、水銀が発光管２の下端部に位置する最冷点である排気管７の先端７ａに存在するため、発光管２内の水銀蒸気圧はその温度で決定され、適正な水銀蒸気圧となり安定した出力が得られる。
【００１７】
上記のように、本実施の形態によれば、電球形蛍光ランプ１が、口金５が上になる状態で取り付けられる場合、また口金５が下になる状態で取り付けられる場合のどちらにおいても、発光管２の下端部（前者の場合は凸部２ａ、後者の場合は排気管７の先端７ａ）が最冷点になり、常に安定した出力が得られる。
【００１８】
実施の形態２．
図６は実施の形態２を示す図で、電球形蛍光ランプ１の断面を示す正面図である。
実施の形態１では、凸部２ａを外管グローブ６に接触させて、凸部２ａと外管グローブ６とを熱的に結合したが、図６に示すように、凸部２ａ付近の外管グローブ６に開口部６ｂを設けて、外管グローブ６に外から入る空気により凸部２ａを冷却して、最冷点箇所の温度の上昇を抑制するようにしてもよい。
【００１９】
本実施の形態では、電球形蛍光ランプ１が点灯して発光管２の温度が上昇すると、凸部２ａは、凸部２ａ付近の外管グローブ６に開けられた開口部６ｂから侵入する冷たい空気に冷却され最冷点箇所の温度の上昇が抑制されるので、発光管２は安定した出力が得られる。
【００２０】
以上の説明は、発光管２は２重スパイラル形状のものについて行ったが、それに限定されない。屈曲した形状のもの等、何でも良い。
【００２１】
排気管７の先端７ａが、ハウジング４の安定器３を収納する空間の上部に位置するものを示したが、ハウジング４の安定器３を収納する空間内であれば何処でもよい。
【００２２】
また、発光管２の凸部２ａを冷却する方法として、凸部２ａを外管グローブ６に接触させる方法、及び凸部２ａ付近の外管グローブ６に開口部６ｂを開ける方法を示したが、他の方法でもよい。
【図面の簡単な説明】
【００２３】
【図１】実施の形態１を示す図で、電球形蛍光ランプ１の正面図である。
【図２】実施の形態１を示す図で、電球形蛍光ランプ１の平面図である。
【図３】実施の形態１を示す図で、電球形蛍光ランプ１の断面を示す正面図である。
【図４】実施の形態１を示す図で、電球形蛍光ランプ１の内部構成を示す正面図である。
【図５】実施の形態１を示す図で、電球形蛍光ランプ１の内部構成を示す平面図である。
【図６】実施の形態２を示す図で、電球形蛍光ランプ１の断面を示す正面図である。
【図７】従来の電球形蛍光ランプ１の断面を示す正面図である。
【符号の説明】
【００２４】
１  電球形蛍光ランプ、２  発光管、２ａ  凸部、３  安定器、４  ハウジング、５  口金、６  外管グローブ、６ａ  下端部、６ｂ  開口部、７  排気管、７ａ  先端、８  プレート、１５  熱伝導性媒体。
【図１】
2006302589.tif 000003
【図２】
2006302589.tif 000004
【図３】
2006302589.tif 000005
【図４】
2006302589.tif 000006
【図５】
2006302589.tif 000007
【図６】
2006302589.tif 000008
【図７】
2006302589.tif 000009